(57)【要約】【課題】本発明はクリーニング機能付き水晶筆掛けを開示した。【解決手段】水晶ケースと前記水晶ケースの頂壁に固定的に設置された毛筆掛けスタンドとを含み、前記水晶ケースの頂壁の中には上方に開口したスライドチャンバが設置され、前記スライドチャンバの中には左右に貫通している第一ねじ穴と前記第一ねじ穴の上方に位置している抜き穴とが設置され、前記第一ねじ穴の中には第一ねじロッドがねじ山によって連結され、前記第一ねじロッドの左側末端が前記スライドチャンバの左側端壁の中に固定的に設置された第一モーターと動力が伝達できるように連結され、前記水晶ケースの右側端壁の中には前記抜き穴を貫通している水入りパイプが設置され、本発明はクリーニング機能付き水晶筆掛けのケースが水晶によって作られ、外形がきれいであり、同時に設備は自動的に毛筆をクリーニングすることができ、実用性が強い。【選択図】図１
2020183102.tif 000002
【特許請求の範囲】
【請求項１】
正面視で、水晶ケースと前記水晶ケースの頂壁に固定的に設置された毛筆掛けスタンドとを含み、前記水晶ケースの頂壁の中には上方に開口したスライドチャンバが設置され、前記スライドチャンバの中には左右に貫通している第一ねじ穴と前記第一ねじ穴の上方に位置している抜き穴とが設置され、前記第一ねじ穴の中には第一ねじロッドがねじ山によって連結され、前記第一ねじロッドの左側末端が前記スライドチャンバの左側端壁の中に固定的に設置された第一モーターと動力が伝達できるように連結され、前記水晶ケースの右側端壁の中には前記抜き穴を貫通している水入りパイプが設置され、前記水入りパイプの左側末端が前記スライドチャンバの左側端壁の中に固定的に設置され、前記水入りパイプの中には外部空間に連通している水入り穴が設置され、前記水入り穴の頂壁の中には均等に設置されている水排出穴が設置され、前記水入りパイプの外表面には水排出穴を覆うことができるスライドスリーブがスライドできるように設置され、前記スライドスリーブと前記水入りパイプの外壁との間には第一復帰装置が弾性を持つように設置され、前記抜き穴の頂壁の中には圧力チャンバが設置され、前記圧力チャンバと前記抜き穴との間にはスライド穴が連通するように設置され、前記スライド穴の中にはスライドパイプがスライドできるように設置され、前記スライドパイプと前記スライド穴の端壁との間には第二復帰装置が弾性を持つように設置され、前記スライドパイプの中には上下に貫通しているパイプ穴が設置され、前記圧力チャンバの頂壁の中にはギヤチャンバが設置され、前記ギヤチャンバと前記圧力チャンバとの間にはバルブチャンバが設置され、前記バルブチャンバの中には水量を制御できるバルブ装置が設置され、前記スライドスタンドの頂壁の中には上方に開口したスライド移動溝が設置され、前記スライド移動溝の中にはスライドブロックがスライドできるように設置され、前記スライドブロックの中には上方に開口した洗い流しチャンバが設置され、前記洗い流しチャンバの中には毛筆を洗い流すことができる洗い流し装置が設置され、前記毛筆掛けスタンドの底壁には複数組の直線になるように設置されている第一回転軸が回転できるように設置され、前記第一回転軸の底壁には前記第一モーターと通電できるように連結された張力センサーが固定的に設置され、前記張力センサーの底壁にはフックが固定的に設置されたことを特徴とするクリーニング機能付き水晶筆掛け。
【請求項２】
前記バルブ装置は前記バルブチャンバの中にスライドできるように設置された左右対称のバルブ用ハンドルと前記バルブ用ハンドルの片側に位置しているスライドロッドとを含み、前記スライドロッドと前記バルブ用ハンドルとの間にはバネが弾性を持つように設置され、前記スライドロッドと前記バルブチャンバの底壁との間には第三復帰装置が弾性を持つように設置され、前記バルブチャンバと前記スライド移動溝との間には第一引き紐穴が連通するように設置され、前記スライドブロックと前記スライドロッドとの間には前記第一引き紐穴を貫通している第一引き紐が固定的に設置され、前記ギヤチャンバの底壁の中にはカムチャンバが設置され、前記ギヤチャンバの頂壁の中には左右対称の第二回転軸が回転できるように設置され、前記第二回転軸の外表面には第一ギヤが固定的に設置され、前記第二回転軸の底部末端が前記カムチャンバの中に伸びており、且つ前記第二回転軸の底部末端にはカムが固定的に設置され、右側の前記第二回転軸は前記ギヤチャンバの頂壁の中に固定的に設置された第二モーターと動力が伝達できるように連結され、前記カムチャンバの中には前記バルブ用ハンドルと固定的に連結された固定ブロックがスライドできるように設置され、前記バルブチャンバの頂壁の中には前記バルブチャンバを貫通している水通り溝が設置されたことを特徴とする請求項１に記載のクリーニング機能付き水晶筆掛け。
【請求項３】
前記洗い流し装置は前記洗い流しチャンバの底壁の中に設置された第二ねじ穴を含み、前記第二ねじ穴の中には第二ねじロッドがねじ山によって連結され、前記第二ねじロッドの底部末端が前記ギヤチャンバを貫通していて前記水通り溝の中に伸びており、前記ギヤチャンバの中の前記第二ねじロッドの外表面には前記第一ギヤと噛み合っている第二ギヤが固定的に設置され、前記第二ねじロッドの中には上下に貫通している水通り穴が設置され、前記第二ねじロッドの外表面には回転ブロックが回転できるように設置され、前記洗い流しチャンバの左右前後端壁の中には揺れ動きチャンバが対称的に設置され、前記揺れ動きチャンバの中にはヒンジロッドがヒンジで連結され、前記揺れ動きチャンバの底壁の中には前記洗い流しチャンバに連通している第二引き紐穴が設置され、前記ヒンジロッドのうち前記洗い流しチャンバから離れている片側末端と前記回転ブロックとの間には前記第二引き紐穴を貫通している第二引き紐が固定的に設置され、前記圧力チャンバと前記スライド移動溝との間には液圧穴が連通するように設置され、前記液圧穴の中にはロックロッドがスライドできるように設置され、前記ロックロッドと前記液圧穴の端壁との間には第四復帰装置が弾性を持つように設置され、前記スライドブロックの円周壁には複数組の位置制限溝が環状になるように配置され、前記洗い流しチャンバの底壁の中には廃水穴が設置され、前記スライド移動溝の底壁の中には流れガイド溝が設置されたことを特徴とする請求項１に記載のクリーニング機能付き水晶筆掛け。
【発明の詳細な説明】
【技術分野】
【０００１】
本発明は文具用品分野に関わり、具体的にはクリーニング機能付き水晶筆掛けである。
【背景技術】
【０００２】
人々は毛筆で字を書く時、常に毛筆のクリーニングが煩雑なので書くことが中止され、伝統的な毛筆を洗うには人で水を取って毛筆を洗い流す必要があり、過程がつまらなく、したがって、上記の問題を解決するため、クリーニング機能付き水晶筆掛けが必要となる。
【先行技術文献】
【特許文献】
【０００３】
【特許文献１】中国特許出願公開第１０７２６４１７０号明細書
【発明の概要】
【発明が解決しようとする課題】
【０００４】
本発明はクリーニング機能付き水晶筆掛けを提供し、既存技術にある上記の欠点を解消し、設備の実用性を高めることを目的とする。
【課題を解決するための手段】
【０００５】
水晶ケースと前記水晶ケースの頂壁に固定的に設置された毛筆掛けスタンドとを含み、前記水晶ケースの頂壁の中には上方に開口したスライドチャンバが設置され、前記スライドチャンバの中には左右に貫通している第一ねじ穴と前記第一ねじ穴の上方に位置している抜き穴とが設置され、前記第一ねじ穴の中には第一ねじロッドがねじ山によって連結され、前記第一ねじロッドの左側末端が前記スライドチャンバの左側端壁の中に固定的に設置された第一モーターと動力が伝達できるように連結され、前記水晶ケースの右側端壁の中には前記抜き穴を貫通している水入りパイプが設置され、前記水入りパイプの左側末端が前記スライドチャンバの左側端壁の中に固定的に設置され、前記水入りパイプの中には外部空間に連通している水入り穴が設置され、前記水入り穴の頂壁の中には均等に設置されている水排出穴が設置され、前記水入りパイプの外表面には水排出穴を覆うことができるスライドスリーブがスライドできるように設置され、前記スライドスリーブと前記水入りパイプの外壁との間には第一復帰装置が弾性を持つように設置され、前記抜き穴の頂壁の中には圧力チャンバが設置され、前記圧力チャンバと前記抜き穴との間にはスライド穴が連通するように設置され、前記スライド穴の中にはスライドパイプがスライドできるように設置され、前記スライドパイプと前記スライド穴の端壁との間には第二復帰装置が弾性を持つように設置され、前記スライドパイプの中には上下に貫通しているパイプ穴が設置され、前記圧力チャンバの頂壁の中にはギヤチャンバが設置され、前記ギヤチャンバと前記圧力チャンバとの間にはバルブチャンバが設置され、前記バルブチャンバの中には水量を制御できるバルブ装置が設置され、前記スライドスタンドの頂壁の中には上方に開口したスライド移動溝が設置され、前記スライド移動溝の中にはスライドブロックがスライドできるように設置され、前記スライドブロックの中には上方に開口した洗い流しチャンバが設置され、前記洗い流しチャンバの中には毛筆を洗い流すことができる洗い流し装置が設置され、前記毛筆掛けスタンドの底壁には複数組の直線になるように設置されている第一回転軸が回転できるように設置され、前記第一回転軸の底壁には前記第一モーターと通電できるように連結された張力センサーが固定的に設置され、前記張力センサーの底壁にはフックが固定的に設置された。
【０００６】
好ましくは、前記バルブ装置は前記バルブチャンバの中にスライドできるように設置された左右対称のバルブ用ハンドルと前記バルブ用ハンドルの片側に位置しているスライドロッドとを含み、前記スライドロッドと前記バルブ用ハンドルとの間にはバネが弾性を持つように設置され、前記スライドロッドと前記バルブチャンバの底壁との間には第三復帰装置が弾性を持つように設置され、前記バルブチャンバと前記スライド移動溝との間には第一引き紐穴が連通するように設置され、前記スライドブロックと前記スライドロッドとの間には前記第一引き紐穴を貫通している第一引き紐が固定的に設置され、前記ギヤチャンバの底壁の中にはカムチャンバが設置され、前記ギヤチャンバの頂壁の中には左右対称の第二回転軸が回転できるように設置され、前記第二回転軸の外表面には第一ギヤが固定的に設置され、前記第二回転軸の底部末端が前記カムチャンバの中に伸びており、且つ前記第二回転軸の底部末端にはカムが固定的に設置され、右側の前記第二回転軸は前記ギヤチャンバの頂壁の中に固定的に設置された第二モーターと動力が伝達できるように連結され、前記カムチャンバの中には前記バルブ用ハンドルと固定的に連結された固定ブロックがスライドできるように設置され、前記バルブチャンバの頂壁の中には前記バルブチャンバを貫通している水通り溝が設置された。
【０００７】
好ましくは、前記洗い流し装置は前記洗い流しチャンバの底壁の中に設置された第二ねじ穴を含み、前記第二ねじ穴の中には第二ねじロッドがねじ山によって連結され、前記第二ねじロッドの底部末端が前記ギヤチャンバを貫通していて前記水通り溝の中に伸びており、前記ギヤチャンバの中の前記第二ねじロッドの外表面には前記第一ギヤと噛み合っている第二ギヤが固定的に設置され、前記第二ねじロッドの中には上下に貫通している水通り穴が設置され、前記第二ねじロッドの外表面には回転ブロックが回転できるように設置され、前記洗い流しチャンバの左右前後端壁の中には揺れ動きチャンバが対称的に設置され、前記揺れ動きチャンバの中にはヒンジロッドがヒンジで連結され、前記揺れ動きチャンバの底壁の中には前記洗い流しチャンバに連通している第二引き紐穴が設置され、前記ヒンジロッドのうち前記洗い流しチャンバから離れている片側末端と前記回転ブロックとの間には前記第二引き紐穴を貫通している第二引き紐が固定的に設置され、前記圧力チャンバと前記スライド移動溝との間には液圧穴が連通するように設置され、前記液圧穴の中にはロックロッドがスライドできるように設置され、前記ロックロッドと前記液圧穴の端壁との間には第四復帰装置が弾性を持つように設置され、前記スライドブロックの円周壁には複数組の位置制限溝が環状になるように配置され、前記洗い流しチャンバの底壁の中には廃水穴が設置され、前記スライド移動溝の底壁の中には流れガイド溝が設置された。
【発明の効果】
【０００８】
本発明の有益な効果は：本発明はクリーニング機能付き水晶筆掛けのケースが水晶によって作られ、外形がきれいであり、同時に設備は自動的に毛筆をクリーニングすることができ、実用性が強い。
【図面の簡単な説明】
【０００９】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のクリーニング機能付き水晶筆掛けの全体構造略図
【図２】図２は図１の中のＡの拡大構造略図
【図３】図３は図２の中のＢの拡大構造略図
【図４】図４は図１の中のＣの拡大構造略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４に示すように、本発明のクリーニング機能付き水晶筆掛けは、水晶ケース１０と前記水晶ケース１０の頂壁に固定的に設置された毛筆掛けスタンド２２とを含み、前記水晶ケース１０の頂壁の中には上方に開口したスライドチャンバ１３が設置され、前記スライドチャンバ１３の中には左右に貫通している第一ねじ穴１４と前記第一ねじ穴１４の上方に位置している抜き穴３１とが設置され、前記第一ねじ穴１４の中には第一ねじロッド１２がねじ山によって連結され、前記第一ねじロッド１２の左側末端が前記スライドチャンバ１３の左側端壁の中に固定的に設置された第一モーター１１と動力が伝達できるように連結され、前記水晶ケース１０の右側端壁の中には前記抜き穴３１を貫通している水入りパイプ１７が設置され、前記水入りパイプ１７の左側末端が前記スライドチャンバ１３の左側端壁の中に固定的に設置され、前記水入りパイプ１７の中には外部空間に連通している水入り穴１６が設置され、前記水入り穴１６の頂壁の中には均等に設置されている水排出穴６２が設置され、前記水入りパイプ１７の外表面には水排出穴６２を覆うことができるスライドスリーブ６１がスライドできるように設置され、前記スライドスリーブ６１と前記水入りパイプ１７の外壁との間には第一復帰装置６３が弾性を持つように設置され、前記抜き穴３１の頂壁の中には圧力チャンバ３５が設置され、前記圧力チャンバ３５と前記抜き穴３１との間にはスライド穴３３が連通するように設置され、前記スライド穴３３の中にはスライドパイプ３０がスライドできるように設置され、前記スライドパイプ３０と前記スライド穴３３の端壁との間には第二復帰装置３４が弾性を持つように設置され、前記スライドパイプ３０の中には上下に貫通しているパイプ穴３２が設置され、前記圧力チャンバ３５の頂壁の中にはギヤチャンバ５５が設置され、前記ギヤチャンバ５５と前記圧力チャンバ３５との間にはバルブチャンバ４３が設置され、前記バルブチャンバ４３の中には水量を制御できるバルブ装置２００が設置され、前記スライドスタンド１５の頂壁の中には上方に開口したスライド移動溝６４が設置され、前記スライド移動溝６４の中にはスライドブロック２３がスライドできるように設置され、前記スライドブロック２３の中には上方に開口した洗い流しチャンバ３６が設置され、前記洗い流しチャンバ３６の中には毛筆を洗い流すことができる洗い流し装置３００が設置され、前記毛筆掛けスタンド２２の底壁には複数組の直線になるように設置されている第一回転軸１９が回転できるように設置され、前記第一回転軸１９の底壁には前記第一モーター１１と通電できるように連結された張力センサー２０が固定的に設置され、前記張力センサー２０の底壁にはフック２１が固定的に設置された。
【００１３】
有益なように、前記バルブ装置２００は前記バルブチャンバ４３の中にスライドできるように設置された左右対称のバルブ用ハンドル４７と前記バルブ用ハンドル４７の片側に位置しているスライドロッド５１とを含み、前記スライドロッド５１と前記バルブ用ハンドル４７との間にはバネ４９が弾性を持つように設置され、前記スライドロッド５１と前記バルブチャンバ４３の底壁との間には第三復帰装置５０が弾性を持つように設置され、前記バルブチャンバ４３と前記スライド移動溝６４との間には第一引き紐穴５３が連通するように設置され、前記スライドブロック２３と前記スライドロッド５１との間には前記第一引き紐穴５３を貫通している第一引き紐５２が固定的に設置され、前記ギヤチャンバ５５の底壁の中にはカムチャンバ４４が設置され、前記ギヤチャンバ５５の頂壁の中には左右対称の第二回転軸４１が回転できるように設置され、前記第二回転軸４１の外表面には第一ギヤ５９が固定的に設置され、前記第二回転軸４１の底部末端が前記カムチャンバ４４の中に伸びており、且つ前記第二回転軸４１の底部末端にはカム４２が固定的に設置され、右側の前記第二回転軸４１は前記ギヤチャンバ５５の頂壁の中に固定的に設置された第二モーター５６と動力が伝達できるように連結され、前記カムチャンバ４４の中には前記バルブ用ハンドル４７と固定的に連結された固定ブロック４５がスライドできるように設置され、前記バルブチャンバ４３の頂壁の中には前記バルブチャンバ４３を貫通している水通り溝４６が設置された。
【００１４】
有益なように、前記洗い流し装置３００は前記洗い流しチャンバ３６の底壁の中に設置された第二ねじ穴５７を含み、前記第二ねじ穴５７の中には第二ねじロッド２９がねじ山によって連結され、前記第二ねじロッド２９の底部末端が前記ギヤチャンバ５５を貫通していて前記水通り溝４６の中に伸びており、前記ギヤチャンバ５５の中の前記第二ねじロッド２９の外表面には前記第一ギヤ５９と噛み合っている第二ギヤ５８が固定的に設置され、前記第二ねじロッド２９の中には上下に貫通している水通り穴４０が設置され、前記第二ねじロッド２９の外表面には回転ブロック２８が回転できるように設置され、前記洗い流しチャンバ３６の左右前後端壁の中には揺れ動きチャンバ２４が対称的に設置され、前記揺れ動きチャンバ２４の中にはヒンジロッド２５がヒンジで連結され、前記揺れ動きチャンバ２４の底壁の中には前記洗い流しチャンバ３６に連通している第二引き紐穴２７が設置され、前記ヒンジロッド２５のうち前記洗い流しチャンバ３６から離れている片側末端と前記回転ブロック２８との間には前記第二引き紐穴２７を貫通している第二引き紐２６が固定的に設置され、前記圧力チャンバ３５と前記スライド移動溝６４との間には液圧穴３７が連通するように設置され、前記液圧穴３７の中にはロックロッド３８がスライドできるように設置され、前記ロックロッド３８と前記液圧穴３７の端壁との間には第四復帰装置３９が弾性を持つように設置され、前記スライドブロック２３の円周壁には複数組の位置制限溝６５が環状になるように配置され、前記洗い流しチャンバ３６の底壁の中には廃水穴５４が設置され、前記スライド移動溝６４の底壁の中には流れガイド溝６０が設置された。
【００１５】
以下、出願人は付図１〜４及び上記本出願のクリーニング機能付き水晶筆掛けの具体的な構成を参考して本願のクリーニング機能付き水晶筆掛けの使用方法を詳しく紹介する：
【００１６】
当該設備に毛筆１８を置く時、毛筆１８をフック２１に掛け、この時に対応した張力センサー２０が引張力を受けて第一モーター１１を触発して対応した距離回転させ、第一モーター１１が回転すると、第一ねじロッド１５を回転連動させ、それによってスライドスタンド１５を移動連動させ、スライドスタンド１５が移動してスライドパイプ３０を移動連動させ、スライドパイプ３０がスライドスリーブ６１と当接するまで移動した時、スライドスリーブ６１が左方へ移動し、この時に水排出穴６２がパイプ穴３２と連通し、この時に水入り穴１６の中の液体はパイプ穴３２を通して圧力チャンバ３５に入り、この時に左右二つのバルブ用ハンドル４７が当接しているので、圧力チャンバ３５の中の液体の圧力が大きくなり、この時に液圧穴３７の中の圧力が大きくなり、それによってロックロッド３８を推し動かして移動させて位置制限溝６５の中に挿入し、この時にスライドブロック２３が回転できなく、この時に第二モーター５６を始動して回転させ、第二モーター５６が回転して第一ギヤ５９を回転連動させ、それによって第二ギヤ５８を回転連動させ、第二ギヤ５８が回転して第二ねじロッド２９を回転連動させ、それによってスライドブロック２３を上方へ移動連動させ、スライドブロック２３が上方へ毛筆１８を囲むまで移動した時、第二引き紐２６がまっすぐに伸ばされ、それによってヒンジロッド２５を回転連動させ、ヒンジロッド２５が回転して毛筆１８の筆軸を挟み、この時にスライドブロック２３が上方へ移動し続け、スライドブロック２３が上方へ移動して第一引き紐５２をまっすぐに伸ばした時、第一引き紐５２が左右二つのスライドロッド５１を引き動かして離れさせ、それによって左右二つのバルブ用ハンドル４７を連動させて離れさせ、この時に圧力チャンバ３５の中の液体は水通り穴４０を通して噴出され、それによって毛筆１８を洗い流し、この時に圧力チャンバ３５の中の圧力が減少し、ロックロッド３８が移動して第四復帰装置３９の作用の下で位置制限溝６５から出て、この時に第二モーター５６が回転して第二ねじロッド２９を回転連動させ、それによってスライドブロック２３を回転連動させ、この時にスライドブロック２３が毛筆１８を回転連動させ、それによって毛筆の洗い流しを実現し、洗い流しが完成した後に第二モーター５６が反転し、第二モーター５６が反転して第一ギヤ５９を回転連動させ、それによってカム４２を回転連動させ、それによって固定ブロック４５を対向に移動連動させ、それによって左右二つのバルブ用ハンドル４７を対向に移動連動させ、この時にバルブ用ハンドル４７が水通り穴４０を塞ぎ、圧力チャンバ３５の中の圧力が再び大きくなり、それによってロックロッド３８を移動連動させて位置制限溝６５の中に挿入し、この時、第二モーター５６が反時計回りに回転して第一ギヤ５９を反時計回りに回転連動させ、それによって第二ギヤ５８を反時計回りに回転連動させ、それによって第二ねじロッド２９を反時計回りに回転連動させてスライドブロック２３を下方へ復帰連動させ、この時に引き紐２６がヒンジロッド２５を引き動かさなくなり、この時にヒンジロッド２５が毛筆１８を挟むことができなくなり、この時に第一モーター１１を始動して反時計回りに回転させ、それによって第一ねじロッド１２が反時計回りに回転し、それによってスライドスタンド１５を復帰連動させる。
【００１７】
上記の分析からわかっているのは：本発明はクリーニング機能付き水晶筆掛けのケースが水晶によって作られ、外形がきれいであり、同時に設備は自動的に毛筆をクリーニングすることができ、実用性が強い。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
【図１】
2020183102.tif 000003
【図２】
2020183102.tif 000004
【図３】
2020183102.tif 000005
【図４】
2020183102.tif 000006
【手続補正書】
【提出日】令和1年12月20日(2019.12.20)
【手続補正１】
【補正対象書類名】特許請求の範囲
【補正対象項目名】全文
【補正方法】変更
【補正の内容】
【特許請求の範囲】
【請求項１】
正面視で、水晶ケースと前記水晶ケースの頂壁に固定的に設置された毛筆掛けスタンドとを含み、前記水晶ケースの頂壁の中には上方に開口したスライドチャンバが設置され、前記スライドチャンバの中にはスライドスタンドがスライドできるように設置され、前記スライドスタンドの中には第一ねじ穴と抜き穴が設置され、前記第一ねじ穴と前記抜き穴とが前記スライドスタンドを左右方向に貫通し、前記抜き穴が前記第一ねじ穴の上方に位置し、前記第一ねじ穴の中には第一ねじロッドがねじ山によって連結され、前記第一ねじロッドの左側末端が前記スライドチャンバの左側端壁の中に固定的に設置された第一モーターと動力が伝達できるように連結され、前記第一モーターが回転する時、前記第一ねじロッドが回転連動し、前記スライドスタンドが移動連動し、前記水晶ケースの右側端壁の中には前記抜き穴を貫通している水入りパイプが設置され、前記水入りパイプの左側末端が前記スライドチャンバの左側端壁の中に固定的に設置され、前記水入りパイプの中には外部空間に連通している水入り穴が設置され、前記水入り穴の頂壁の中には均等に設置されている水排出穴が設置され、前記水入りパイプの外表面には水排出穴を覆うことができるスライドスリーブがスライドできるように設置され、前記スライドスリーブと前記水入りパイプの外壁との間には第一復帰装置が弾性を持つように設置され、前記抜き穴の頂壁の中には圧力チャンバが設置され、前記圧力チャンバと前記抜き穴との間にはスライド穴が連通するように設置され、前記スライド穴の中にはスライドパイプがスライドできるように設置され、前記スライドパイプと前記スライド穴の端壁との間には第二復帰装置が弾性を持つように設置され、前記スライドパイプの中には上下に貫通しているパイプ穴が設置され、前記圧力チャンバの頂壁の中にはギヤチャンバが設置され、前記ギヤチャンバと前記圧力チャンバとの間にはバルブチャンバが設置され、前記バルブチャンバの中には水量を制御できるバルブ装置が設置され、前記スライドスタンドの頂壁の中には上方に開口したスライド移動溝が設置され、前記スライド移動溝の中にはスライドブロックがスライドできるように設置され、前記スライドブロックの中には上方に開口した洗い流しチャンバが設置され、前記洗い流しチャンバの中には毛筆を洗い流すことができる洗い流し装置が設置され、前記毛筆掛けスタンドの底壁には複数組の直線になるように設置されている第一回転軸が回転できるように設置され、前記第一回転軸の底壁には前記第一モーターと通電できるように連結された張力センサーが固定的に設置され、前記張力センサーの底壁にはフックが固定的に設置されたことを特徴とするクリーニング機能付き水晶筆掛け。
【請求項２】
前記バルブ装置は前記バルブチャンバの中にスライドできるように設置された左右対称のバルブ用ハンドルと前記バルブ用ハンドルの片側に位置しているスライドロッドとを含み、前記スライドロッドと前記バルブ用ハンドルとの間にはバネが弾性を持つように設置され、前記スライドロッドと前記バルブチャンバの底壁との間には第三復帰装置が弾性を持つように設置され、前記バルブチャンバと前記スライド移動溝との間には第一引き紐穴が連通するように設置され、前記スライドブロックと前記スライドロッドとの間には前記第一引き紐穴を貫通している第一引き紐が固定的に設置され、前記ギヤチャンバの底壁の中にはカムチャンバが設置され、前記ギヤチャンバの頂壁の中には左右対称の第二回転軸が回転できるように設置され、前記第二回転軸の外表面には第一ギヤが固定的に設置され、前記第二回転軸の底部末端が前記カムチャンバの中に伸びており、且つ前記第二回転軸の底部末端にはカムが固定的に設置され、右側の前記第二回転軸は前記ギヤチャンバの頂壁の中に固定的に設置された第二モーターと動力が伝達できるように連結され、前記カムチャンバの中には前記バルブ用ハンドルと固定的に連結された固定ブロックがスライドできるように設置され、前記バルブチャンバの頂壁の中には前記バルブチャンバを貫通している水通り溝が設置されたことを特徴とする請求項１に記載のクリーニング機能付き水晶筆掛け。
【請求項３】
前記洗い流し装置は前記洗い流しチャンバの底壁の中に設置された第二ねじ穴を含み、前記第二ねじ穴の中には第二ねじロッドがねじ山によって連結され、前記第二ねじロッドの底部末端が前記ギヤチャンバを貫通していて前記水通り溝の中に伸びており、前記ギヤチャンバの中の前記第二ねじロッドの外表面には前記第一ギヤと噛み合っている第二ギヤが固定的に設置され、前記第二ねじロッドの中には上下に貫通している水通り穴が設置され、前記第二ねじロッドの外表面には回転ブロックが回転できるように設置され、前記洗い流しチャンバの左右前後端壁の中には揺れ動きチャンバが対称的に設置され、前記揺れ動きチャンバの中にはヒンジロッドがヒンジで連結され、前記揺れ動きチャンバの底壁の中には前記洗い流しチャンバに連通している第二引き紐穴が設置され、前記ヒンジロッドのうち前記洗い流しチャンバから離れている片側末端と前記回転ブロックとの間には前記第二引き紐穴を貫通している第二引き紐が固定的に設置され、前記圧力チャンバと前記スライド移動溝との間には液圧穴が連通するように設置され、前記液圧穴の中にはロックロッドがスライドできるように設置され、前記ロックロッドと前記液圧穴の端壁との間には第四復帰装置が弾性を持つように設置され、前記スライドブロックの円周壁には複数組の位置制限溝が環状になるように配置され、前記洗い流しチャンバの底壁の中には廃水穴が設置され、前記スライド移動溝の底壁の中には流れガイド溝が設置されたことを特徴とする請求項２に記載のクリーニング機能付き水晶筆掛け。
【手続補正２】
【補正対象書類名】明細書
【補正対象項目名】全文
【補正方法】変更
【補正の内容】
【発明の詳細な説明】
【技術分野】
【０００１】
本発明は文具用品分野に関わり、具体的にはクリーニング機能付き水晶筆掛けである。
【背景技術】
【０００２】
人々は毛筆で字を書く時、常に毛筆のクリーニングが煩雑なので書くことが中止され、伝統的な毛筆を洗うには人で水を取って毛筆を洗い流す必要があり、過程がつまらなく、したがって、上記の問題を解決するため、クリーニング機能付き水晶筆掛けが必要となる。
【先行技術文献】
【特許文献】
【０００３】
【特許文献１】中国特許出願公開第１０７２６４１７０号明細書
【発明の概要】
【発明が解決しようとする課題】
【０００４】
本発明はクリーニング機能付き水晶筆掛けを提供し、既存技術にある上記の欠点を解消し、設備の実用性を高めることを目的とする。
【課題を解決するための手段】
【０００５】
水晶ケースと前記水晶ケースの頂壁に固定的に設置された毛筆掛けスタンドとを含み、前記水晶ケースの頂壁の中には上方に開口したスライドチャンバが設置され、前記スライドチャンバの中にはスライドスタンドがスライドできるように設置され、前記スライドスタンドの中には第一ねじ穴と抜き穴が設置され、前記第一ねじ穴と前記抜き穴とが前記スライドスタンドを左右方向に貫通し、前記抜き穴が前記第一ねじ穴の上方に位置し、前記第一ねじ穴の中には第一ねじロッドがねじ山によって連結され、前記第一ねじロッドの左側末端が前記スライドチャンバの左側端壁の中に固定的に設置された第一モーターと動力が伝達できるように連結され、前記第一モーターが回転する時、前記第一ねじロッドが回転連動し、前記スライドスタンドが移動連動し、前記水晶ケースの右側端壁の中には前記抜き穴を貫通している水入りパイプが設置され、前記水入りパイプの左側末端が前記スライドチャンバの左側端壁の中に固定的に設置され、前記水入りパイプの中には外部空間に連通している水入り穴が設置され、前記水入り穴の頂壁の中には均等に設置されている水排出穴が設置され、前記水入りパイプの外表面には水排出穴を覆うことができるスライドスリーブがスライドできるように設置され、前記スライドスリーブと前記水入りパイプの外壁との間には第一復帰装置が弾性を持つように設置され、前記抜き穴の頂壁の中には圧力チャンバが設置され、前記圧力チャンバと前記抜き穴との間にはスライド穴が連通するように設置され、前記スライド穴の中にはスライドパイプがスライドできるように設置され、前記スライドパイプと前記スライド穴の端壁との間には第二復帰装置が弾性を持つように設置され、前記スライドパイプの中には上下に貫通しているパイプ穴が設置され、前記圧力チャンバの頂壁の中にはギヤチャンバが設置され、前記ギヤチャンバと前記圧力チャンバとの間にはバルブチャンバが設置され、前記バルブチャンバの中には水量を制御できるバルブ装置が設置され、前記スライドスタンドの頂壁の中には上方に開口したスライド移動溝が設置され、前記スライド移動溝の中にはスライドブロックがスライドできるように設置され、前記スライドブロックの中には上方に開口した洗い流しチャンバが設置され、前記洗い流しチャンバの中には毛筆を洗い流すことができる洗い流し装置が設置され、前記毛筆掛けスタンドの底壁には複数組の直線になるように設置されている第一回転軸が回転できるように設置され、前記第一回転軸の底壁には前記第一モーターと通電できるように連結された張力センサーが固定的に設置され、前記張力センサーの底壁にはフックが固定的に設置された。
【０００６】
好ましくは、前記バルブ装置は前記バルブチャンバの中にスライドできるように設置された左右対称のバルブ用ハンドルと前記バルブ用ハンドルの片側に位置しているスライドロッドとを含み、前記スライドロッドと前記バルブ用ハンドルとの間にはバネが弾性を持つように設置され、前記スライドロッドと前記バルブチャンバの底壁との間には第三復帰装置が弾性を持つように設置され、前記バルブチャンバと前記スライド移動溝との間には第一引き紐穴が連通するように設置され、前記スライドブロックと前記スライドロッドとの間には前記第一引き紐穴を貫通している第一引き紐が固定的に設置され、前記ギヤチャンバの底壁の中にはカムチャンバが設置され、前記ギヤチャンバの頂壁の中には左右対称の第二回転軸が回転できるように設置され、前記第二回転軸の外表面には第一ギヤが固定的に設置され、前記第二回転軸の底部末端が前記カムチャンバの中に伸びており、且つ前記第二回転軸の底部末端にはカムが固定的に設置され、右側の前記第二回転軸は前記ギヤチャンバの頂壁の中に固定的に設置された第二モーターと動力が伝達できるように連結され、前記カムチャンバの中には前記バルブ用ハンドルと固定的に連結された固定ブロックがスライドできるように設置され、前記バルブチャンバの頂壁の中には前記バルブチャンバを貫通している水通り溝が設置された。
【０００７】
好ましくは、前記洗い流し装置は前記洗い流しチャンバの底壁の中に設置された第二ねじ穴を含み、前記第二ねじ穴の中には第二ねじロッドがねじ山によって連結され、前記第二ねじロッドの底部末端が前記ギヤチャンバを貫通していて前記水通り溝の中に伸びており、前記ギヤチャンバの中の前記第二ねじロッドの外表面には前記第一ギヤと噛み合っている第二ギヤが固定的に設置され、前記第二ねじロッドの中には上下に貫通している水通り穴が設置され、前記第二ねじロッドの外表面には回転ブロックが回転できるように設置され、前記洗い流しチャンバの左右前後端壁の中には揺れ動きチャンバが対称的に設置され、前記揺れ動きチャンバの中にはヒンジロッドがヒンジで連結され、前記揺れ動きチャンバの底壁の中には前記洗い流しチャンバに連通している第二引き紐穴が設置され、前記ヒンジロッドのうち前記洗い流しチャンバから離れている片側末端と前記回転ブロックとの間には前記第二引き紐穴を貫通している第二引き紐が固定的に設置され、前記圧力チャンバと前記スライド移動溝との間には液圧穴が連通するように設置され、前記液圧穴の中にはロックロッドがスライドできるように設置され、前記ロックロッドと前記液圧穴の端壁との間には第四復帰装置が弾性を持つように設置され、前記スライドブロックの円周壁には複数組の位置制限溝が環状になるように配置され、前記洗い流しチャンバの底壁の中には廃水穴が設置され、前記スライド移動溝の底壁の中には流れガイド溝６が設置された。
【発明の効果】
【０００８】
本発明の有益な効果は：本発明はクリーニング機能付き水晶筆掛けのケースが水晶によって作られ、外形がきれいであり、同時に設備は自動的に毛筆をクリーニングすることができ、実用性が強い。
【図面の簡単な説明】
【０００９】
本発明の実施例又は既存技術の技術プランを詳しく説明するため、下記には実施例又は既存技術の説明に所要の付図を簡単に紹介し、明らかに下記の説明の付図はただ本発明の実施例であり、本分野の普通の技術員にとって、創造的な労働をしない場合、下記の付図から他の付図をもらえることができ、下記に図１〜４をあわせて本発明について詳しく説明し、便利に説明するために、下記の方向を以下のように規定する：図１は本発明装置の正面図であり、以下に述べる上下左右前後の方向と図１の自身投影関係の上下左右前後の方向とが一致である。
【００１０】
【図１】図１は本発明のクリーニング機能付き水晶筆掛けの全体構造略図
【図２】図２は図１の中のＡの拡大構造略図
【図３】図３は図２の中のＢの拡大構造略図
【図４】図４は図１の中のＣの拡大構造略図
【発明を実施するための形態】
【００１１】
本説明書に開示したすべての特徴、または開示したすべての方法または過程中のステップは、互いに排斥する特徴と／またはステップ以外に、いずれもあらゆる方式で組み合わせることができる。
【００１２】
図１〜４に示すように、本発明のクリーニング機能付き水晶筆掛けは、水晶ケース１０と前記水晶ケース１０の頂壁に固定的に設置された毛筆掛けスタンド２２とを含み、前記水晶ケース１０の頂壁の中には上方に開口したスライドチャンバ１３が設置され、前記スライドチャンバ１３の中にはスライドスタンド１５がスライドできるように設置され、前記スライドスタンド１５の中には第一ねじ穴１４と抜き穴３１が設置され、前記第一ねじ穴１４と前記抜き穴３１とが前記スライドスタンド１５を左右方向に貫通し、前記抜き穴３１が前記第一ねじ穴１４の上方に位置し、前記第一ねじ穴１４の中には第一ねじロッド１２がねじ山によって連結され、前記第一ねじロッド１２の左側末端が前記スライドチャンバ１３の左側端壁の中に固定的に設置された第一モーター１１と動力が伝達できるように連結され、前記第一モーター１１が回転する時、前記第一ねじロッド１２が回転連動し、前記スライドスタンド１５が移動連動し、前記水晶ケース１０の右側端壁の中には前記抜き穴３１を貫通している水入りパイプ１７が設置され、前記水入りパイプ１７の左側末端が前記スライドチャンバ１３の左側端壁の中に固定的に設置され、前記水入りパイプ１７の中には外部空間に連通している水入り穴１６が設置され、前記水入り穴１６の頂壁の中には均等に設置されている水排出穴６２が設置され、前記水入りパイプ１７の外表面には水排出穴６２を覆うことができるスライドスリーブ６１がスライドできるように設置され、前記スライドスリーブ６１と前記水入りパイプ１７の外壁との間には第一復帰装置６３が弾性を持つように設置され、前記抜き穴３１の頂壁の中には圧力チャンバ３５が設置され、前記圧力チャンバ３５と前記抜き穴３１との間にはスライド穴３３が連通するように設置され、前記スライド穴３３の中にはスライドパイプ３０がスライドできるように設置され、前記スライドパイプ３０と前記スライド穴３３の端壁との間には第二復帰装置３４が弾性を持つように設置され、前記スライドパイプ３０の中には上下に貫通しているパイプ穴３２が設置され、前記圧力チャンバ３５の頂壁の中にはギヤチャンバ５５が設置され、前記ギヤチャンバ５５と前記圧力チャンバ３５との間にはバルブチャンバ４３が設置され、前記バルブチャンバ４３の中には水量を制御できるバルブ装置２００が設置され、前記スライドスタンド１５の頂壁の中には上方に開口したスライド移動溝６４が設置され、前記スライド移動溝６４の中にはスライドブロック２３がスライドできるように設置され、前記スライドブロック２３の中には上方に開口した洗い流しチャンバ３６が設置され、前記洗い流しチャンバ３６の中には毛筆を洗い流すことができる洗い流し装置３００が設置され、前記毛筆掛けスタンド２２の底壁には複数組の直線になるように設置されている第一回転軸１９が回転できるように設置され、前記第一回転軸１９の底壁には前記第一モーター１１と通電できるように連結された張力センサー２０が固定的に設置され、前記張力センサー２０の底壁にはフック２１が固定的に設置された。
【００１３】
有益なように、前記バルブ装置２００は前記バルブチャンバ４３の中にスライドできるように設置された左右対称のバルブ用ハンドル４７と前記バルブ用ハンドル４７の片側に位置しているスライドロッド５１とを含み、前記スライドロッド５１と前記バルブ用ハンドル４７との間にはバネ４９が弾性を持つように設置され、前記スライドロッド５１と前記バルブチャンバ４３の底壁との間には第三復帰装置５０が弾性を持つように設置され、前記バルブチャンバ４３と前記スライド移動溝６４との間には第一引き紐穴５３が連通するように設置され、前記スライドブロック２３と前記スライドロッド５１との間には前記第一引き紐穴５３を貫通している第一引き紐５２が固定的に設置され、前記ギヤチャンバ５５の底壁の中にはカムチャンバ４４が設置され、前記ギヤチャンバ５５の頂壁の中には左右対称の第二回転軸４１が回転できるように設置され、前記第二回転軸４１の外表面には第一ギヤ５９が固定的に設置され、前記第二回転軸４１の底部末端が前記カムチャンバ４４の中に伸びており、且つ前記第二回転軸４１の底部末端にはカム４２が固定的に設置され、右側の前記第二回転軸４１は前記ギヤチャンバ５５の頂壁の中に固定的に設置された第二モーター５６と動力が伝達できるように連結され、前記カムチャンバ４４の中には前記バルブ用ハンドル４７と固定的に連結された固定ブロック４５がスライドできるように設置され、前記バルブチャンバ４３の頂壁の中には前記バルブチャンバ４３を貫通している水通り溝４６が設置された。
【００１４】
有益なように、前記洗い流し装置３００は前記洗い流しチャンバ３６の底壁の中に設置された第二ねじ穴５７を含み、前記第二ねじ穴５７の中には第二ねじロッド２９がねじ山によって連結され、前記第二ねじロッド２９の底部末端が前記ギヤチャンバ５５を貫通していて前記水通り溝４６の中に伸びており、前記ギヤチャンバ５５の中の前記第二ねじロッド２９の外表面には前記第一ギヤ５９と噛み合っている第二ギヤ５８が固定的に設置され、前記第二ねじロッド２９の中には上下に貫通している水通り穴４０が設置され、前記第二ねじロッド２９の外表面には回転ブロック２８が回転できるように設置され、前記洗い流しチャンバ３６の左右前後端壁の中には揺れ動きチャンバ２４が対称的に設置され、前記揺れ動きチャンバ２４の中にはヒンジロッド２５がヒンジで連結され、前記揺れ動きチャンバ２４の底壁の中には前記洗い流しチャンバ３６に連通している第二引き紐穴２７が設置され、前記ヒンジロッド２５のうち前記洗い流しチャンバ３６から離れている片側末端と前記回転ブロック２８との間には前記第二引き紐穴２７を貫通している第二引き紐２６が固定的に設置され、前記圧力チャンバ３５と前記スライド移動溝６４との間には液圧穴３７が連通するように設置され、前記液圧穴３７の中にはロックロッド３８がスライドできるように設置され、前記ロックロッド３８と前記液圧穴３７の端壁との間には第四復帰装置３９が弾性を持つように設置され、前記スライドブロック２３の円周壁には複数組の位置制限溝６５が環状になるように配置され、前記洗い流しチャンバ３６の底壁の中には廃水穴５４が設置され、前記スライド移動溝６４の底壁の中には流れガイド溝６０が設置された。
【００１５】
以下、出願人は付図１〜４及び上記本出願のクリーニング機能付き水晶筆掛けの具体的な構成を参考して本願のクリーニング機能付き水晶筆掛けの使用方法を詳しく紹介する：
【００１６】
当該設備に毛筆１８を置く時、毛筆１８をフック２１に掛け、この時に対応した張力センサー２０が引張力を受けて第一モーター１１を触発して対応した距離回転させ、第一モーター１１が回転すると、第一ねじロッド１５を回転連動させ、それによってスライドスタンド１５を移動連動させ、スライドスタンド１５が移動してスライドパイプ３０を移動連動させ、スライドパイプ３０がスライドスリーブ６１と当接するまで移動した時、スライドスリーブ６１が左方へ移動し、この時に水排出穴６２がパイプ穴３２と連通し、この時に水入り穴１６の中の液体はパイプ穴３２を通して圧力チャンバ３５に入り、この時に左右二つのバルブ用ハンドル４７が当接しているので、圧力チャンバ３５の中の液体の圧力が大きくなり、この時に液圧穴３７の中の圧力が大きくなり、それによってロックロッド３８を推し動かして移動させて位置制限溝６５の中に挿入し、この時にスライドブロック２３が回転できなく、この時に第二モーター５６を始動して回転させ、第二モーター５６が回転して第一ギヤ５９を回転連動させ、それによって第二ギヤ５８を回転連動させ、第二ギヤ５８が回転して第二ねじロッド２９を回転連動させ、それによってスライドブロック２３を上方へ移動連動させ、スライドブロック２３が上方へ毛筆１８を囲むまで移動した時、第二引き紐２６がまっすぐに伸ばされ、それによってヒンジロッド２５を回転連動させ、ヒンジロッド２５が回転して毛筆１８の筆軸を挟み、この時にスライドブロック２３が上方へ移動し続け、スライドブロック２３が上方へ移動して第一引き紐５２をまっすぐに伸ばした時、第一引き紐５２が左右二つのスライドロッド５１を引き動かして離れさせ、それによって左右二つのバルブ用ハンドル４７を連動させて離れさせ、この時に圧力チャンバ３５の中の液体は水通り穴４０を通して噴出され、それによって毛筆１８を洗い流し、この時に圧力チャンバ３５の中の圧力が減少し、ロックロッド３８が移動して第四復帰装置３９の作用の下で位置制限溝６５から出て、この時に第二モーター５６が回転して第二ねじロッド２９を回転連動させ、それによってスライドブロック２３を回転連動させ、この時にスライドブロック２３が毛筆１８を回転連動させ、それによって毛筆の洗い流しを実現し、洗い流しが完成した後に第二モーター５６が反転し、第二モーター５６が反転して第一ギヤ５９を回転連動させ、それによってカム４２を回転連動させ、それによって固定ブロック４５を対向に移動連動させ、それによって左右二つのバルブ用ハンドル４７を対向に移動連動させ、この時にバルブ用ハンドル４７が水通り穴４０を塞ぎ、圧力チャンバ３５の中の圧力が再び大きくなり、それによってロックロッド３８を移動連動させて位置制限溝６５の中に挿入し、この時、第二モーター５６が反時計回りに回転して第一ギヤ５９を反時計回りに回転連動させ、それによって第二ギヤ５８を反時計回りに回転連動させ、それによって第二ねじロッド２９を反時計回りに回転連動させてスライドブロック２３を下方へ復帰連動させ、この時に引き紐２６がヒンジロッド２５を引き動かさなくなり、この時にヒンジロッド２５が毛筆１８を挟むことができなくなり、この時に第一モーター１１を始動して反時計回りに回転させ、それによって第一ねじロッド１２が反時計回りに回転し、それによってスライドスタンド１５を復帰連動させる。
【００１７】
上記の分析からわかっているのは：本発明はクリーニング機能付き水晶筆掛けのケースが水晶によって作られ、外形がきれいであり、同時に設備は自動的に毛筆をクリーニングすることができ、実用性が強い。
【００１８】
上記は、ただ発明の具体的な実施方式であり、発明の保護範囲はこれに限定されたものではなく、創造的な労働を通さなく想到できる全ての変化又は入れ替わりは、本発明の保護範囲の中に含む。したがって、発明の保護範囲は特許請求に限定された保護範囲を基準とするべきである。
@@@@@@end